(57)【特許請求の範囲】
【請求項１】
処理空気が通過する加湿通路の出入口端が対向する二面に開口し、他の四面は外殻構造により被覆された自然蒸発式の加湿器を、処理空気の流れる通風路中にその加湿通路に処理空気が流通するように介在させた加湿装置であって、上記加湿器を、上記通風路中に設置した底面の一部が上げ底状に一体に膨出した保持構造を持つプラスチックよりなる浅底容器状のドレンパンにおけるその保持構造上に直接上載して設置した加湿装置。
【請求項２】
処理空気が通過する加湿通路の出入口端が対向する二面に開口し、他の四面は外殻構造により被覆された自然蒸発式の加湿器を、処理空気の流れる通風路中にその加湿通路に処理空気が流通するように介在させた加湿装置であって、上記加湿器を、上記通風路中に設置した底面の一部が上げ底状に膨出した保持構造を一体に持つ浅底容器状のドレンパンにおけるその保持構造上に直接上載して設置するとともに、その加湿器の上に第２のドレンパンを被冠状に装着した加湿装置。
【請求項３】
請求項１又は請求項２のいずれかに記載の加湿装置であって、ドレンパンの保持構造を底部側に裾拡がりの台形の中空構造にした加湿装置。
【請求項４】
請求項１〜請求項３までのいずれかに記載の加湿装置であって、ドレンパンの保持構造を、ドレンパンの周縁に設けた周壁の高さより高く構成した加湿装置。
【請求項５】
請求項１〜請求項４までのいずれかに記載の加湿装置であって、ドレンパンの保持構造を独立連山式に列構成するとともに、隣接する保持構造同士の間に通風防止構造を通水可能に設けた加湿装置。
【請求項６】
請求項１〜請求項４までのいずれかに記載の加湿装置であって、ドレンパンの保持構造を山脈状の突条として構成するとともに、その側壁に入江状に底面が入込む凹部を設けた加湿装置。
【請求項７】
請求項１〜請求項４までのいずれかに記載の加湿装置であって、ドレンパンの保持構造の主体部分を山脈状の突条に構成し、その主要部の片側端に独立峰状に保持構造の分体部分を構成するとともに、上記主要部分との間に通風防止構造を設け、この分体部分側の片側近傍に外部に排水するための排水口を設けた加湿装置。
【請求項８】
請求項１〜請求項７までのいずれかに記載の加湿装置であって、ドレンパンの保持構造の上面に加湿器が摺動可能に係合する係合構造を設けた加湿装置。
【請求項９】
請求項１〜請求項７までのいずれかに記載の加湿装置であって、加湿器のドレンパンの保持構造に上載する面に該保持構造に摺動可能に係合する係合構造を設けた加湿装置。
【請求項１０】
請求項１〜請求項７までのいずれかに記載の加湿装置であって、加湿器とドレンパンとを摺動可能な凹凸の嵌合い関係に構成した加湿装置。
【発明の詳細な説明】
【０００１】
【発明の属する技術分野】
本発明は処理空気を通過させることにより処理空気を加湿雰囲気の空気に加工処理する加湿装置に関するものである。
【０００２】
【従来の技術】
加湿雰囲気の空気を生成する加湿装置には、自然蒸発式、電熱式、水スプレー式、超音波式などがある。それらの中で自然蒸発式のものは、ランニングコスト及びイニシャルコストが低いことや、雑菌や炭酸カルシウムの微粉末の飛散も抑制でき、安全性が高いことなどの利点がある。自然蒸発式の加湿装置に適用されている加湿器は、基本的には加湿する空気と水とが直接的には接触しないようにしつつ蒸発面積の拡大を図る構造を採っている。例えば、実開平４―１１３４１号公報に示されている熱交換換気装置に組込まれた加湿装置には、図１５，１６に示すように水は透過しないが水蒸気についてはこれを透過する透湿膜により形成されたチューブ状膜体４０を使った加湿器４１が用いられている。
【０００３】
このチューブ状膜体４０内にはスペーサが設けられ、水の入る厚さ数ミリメートルの空間がスペーサにより保持されている。このチューブ状膜体４０には加湿する空気を送気する空間を保持するための波板状の間隔板が重ね合わされ、渦巻状に巻重ねられて外殻に収められ、加湿通路の出入口端が対向する二面に開口した六面体の加湿器４１が構成されている。加湿装置としては図１６に示すように漏水時の水を受容するドレンパン４２を処理空気の流れる通風路中に設置し、その上に加湿通路に処理空気が流通するように加湿器４１を設けた構成となっている。ドレンパン４２は、給水状態の加湿器４１の重量が比較的大きいため多くが板金製の平底の容器として構成され、底面に固定された金属製の取付板４３を介して底面上方に設けられた金属製のガイドレール４４上に加湿器４１が移動できるように設置されている。加湿器４１の天部の両側の陵角部は、通風路の上部に装架されたガイドレール４５にそれぞれ移動できるように保持されている。
【０００４】
加湿器４１としては、透湿膜を使って小型軽量化を達成したものも実用化されている。この加湿器は、処理空気を通過させる送気層と透湿膜による扁平な導水体による保水層とが一層おきに構成された積層構造をしている。加湿器の各保水層は、剛直性を持ち通水可能の多孔板よりなる導水部材を、水は透過しないが水蒸気についてはこれを透過する透湿膜により形成した袋状の膜体内に封入し、両者の結合した扁平な導水体により構成されている。
【０００５】
【発明が解決しようとする課題】
上述した従来の加湿装置においては、加湿器４１を通風路に上下のガイドレール４５，４４によって支持しているため部品点数が多く、ドレンパン４２が板金製の場合には重量も嵩むうえ、加湿器４１の出入れの際に加湿器４１に水を供給する給水ホースが損傷することもあった。また、加湿能力の高いものでは、それだけ加湿器４１の容量も大きく、漏水時の水を外部に漏らさないようにするには、ドレンパン４２の容積も大きくしなければならず、装置の小型化や軽量化が困難であった。一方、ドレンパン４２との関係で装置を天地逆に取付けることはできず、例えば天井裏等に装置を設置する場合に、天井裏等に点検スペースがとれない場合には設置することができないといった問題点もある。
【０００６】
本発明は上記した従来の問題点を解消するためになされたもので、その課題とするところは、自然蒸発式の加湿器による加湿装置の構成を簡素化することであり、その加湿装置の軽量化を推進することであり、加湿器の係脱操作を容易にすることであり、設置場所の制約を低減することである。
【０００７】
【課題を解決するための手段】
前記課題を解決するために請求項１の発明は、処理空気が通過する加湿通路の出入口端が対向する二面に開口し、他の四面は外殻構造により被覆された自然蒸発式の加湿器を、処理空気の流れる通風路中にその加湿通路に処理空気が流通するように介在させた加湿装置について、その加湿器を、通風路中に設置した底面の一部が上げ底状に一体に膨出した保持構造を持つプラスチックよりなる浅底容器状のドレンパンにおける保持構造上に直接上載して設置する手段を採用する。
【０００８】
前記課題を解決するために請求項２の発明は、処理空気が通過する加湿通路の出入口端が対向する二面に開口し、他の四面は外殻構造により被覆された自然蒸発式の加湿器を、処理空気の流れる通風路中にその加湿通路に処理空気が流通するように介在させた加湿装置について、その加湿器を、通風路中に設置した底面の一部が上げ底状に膨出した保持構造を一体に持つ浅底容器状のドレンパンにおけるその保持構造上に直接上載して設置するとともに、その加湿器の上に第２のドレンパンを被冠状に装着する手段を採用する。
【０００９】
前記課題を解決するために請求項３の発明は、請求項１又は請求項２のいずれかに係る前記手段におけるドレンパンの保持構造を、底部側に裾拡がりの台形の中空構造にする手段を採用する。
【００１０】
前記課題を解決するために請求項４の発明は、請求項１〜請求項３までのいずれかに係る前記手段におけるドレンパンの保持構造を、ドレンパンの周縁に設けた周壁の高さより高く構成する手段を採用する。
【００１１】
前記課題を解決するために請求項５の発明は、請求項１〜請求項４までのいずれかに係る前記手段におけるドレンパンの保持構造を、独立連山式に列構成するとともに、隣接する保持構造同士の間に通風防止構造を通水可能に設けた加湿装置。
【００１２】
前記課題を解決するために請求項６の発明は、請求項１〜請求項４までのいずれかに係る前記手段におけるドレンパンの保持構造を、山脈状の突条として構成するとともに、その側壁に入江状に底面が入込む凹部を設ける手段を採用する。
【００１３】
前記課題を解決するために請求項７の発明は、請求項１〜請求項４までのいずれかに係る前記手段におけるドレンパンの保持構造の主体部分を山脈状の突条に構成し、その主要部の片側端に独立峰状に保持構造の分体部分を構成し、主要部分との間に通風防止構造を設け、この分体部分側の片側近傍に外部に排水するための排水口を設ける手段を採用する。
【００１４】
前記課題を解決するために請求項８の発明は、請求項１〜請求項７までのいずれかに係る前記手段におけるドレンパンの保持構造の上面に、加湿器が摺動可能に係合する係合構造を設ける手段を採用する。
【００１５】
前記課題を解決するために請求項９の発明は、請求項１〜請求項７までのいずれかに係る前記手段における加湿器のドレンパンの保持構造に上載する面に該保持構造に摺動可能に係合する係合構造を設ける手段を採用する。
【００１６】
前記課題を解決するために請求項１０の発明は、請求項１〜請求項７までのいずれかに係る前記手段における加湿器とドレンパンとを摺動可能な凹凸の嵌合い関係に構成する手段を採用する。
【００１７】
【発明の実施の形態】
以下、本発明の実施の形態を図面に基づいて説明する。
実施の形態１．
図１から図５はいずれもこの実施の形態１の加湿装置に関するものである。この加湿装置に適用した加湿器１は、図１に示すように自然蒸発式であり、同形同寸法の多数の加湿機能体が複数枚積層されて六面体に構成されている。加湿器１には空気を通す送気層と水を蓄える保水層とが一層おきに形成されている。各加湿機能体は、保水層を構成する導水体と送気層を構成するスペーサとから構成されている。
【００１８】
保水層を構成する導水体は、剛直性と通水性を持つ３次元多孔板よりなる導水部材を、水は透過しないが水蒸気についてはこれを透過する多孔性の透湿膜により形成した袋状の膜体内に封入し、両者の結合した複合シート構造の長方形や正方形の扁平部材として構成されている。この導水体の一方の短辺寄りの中央には通水孔が打ち抜かれている。送気層を構成するスペーサは、例えば厚さ３．３ｍｍ、縦５０ｍｍ、横１６ｃｍの長方形の塩化ビニル製の樹脂板として構成された給水部と、これに一体に形成され実質的な送気層を形成する複数の細いリブとからなる梯子状に構成されている。給水部には導水体の通水孔に整合する給水穴が中央に開けられ、導水体の一面の一短辺に沿って通水孔と給水穴とが整合するようにポリウレタン系の接着剤により導水体の表面に水密状態に接着されている。
【００１９】
上記のような構成の加湿機能体を各々のスペーサ同士が向き合わないようにして整合させ接着して複数枚を積層し、全体を枠型の外殻構造２に組み込むことで図１に示す加湿器１が構成される。加湿器１の外殻構造２はプラスチック製の側部構造３と天部構造４と底部構造５とからなり、加湿器１の処理空気を通す加湿通路６は送気層により形成され、その出入口端は対向する二面に開口し、両側面はそれぞれ側部構造３により、上下は天部構造４と底部構造５によりそれぞれ被覆されている。加湿器１の一側面を構成する側部構造３の加湿通路６の出入口端が開口する面側の下部寄りには、給水ホース７の接続の可能な給水口８が設けられている。この給水口８は側部構造３の内部に形成された導水路に連絡し、給水口８から導水路を介して導水体の通水孔を経て導水体に水を供給することができるように構成されている。
【００２０】
上記のような構成の加湿器１が、本体箱体９内に形成された処理空気の流れる通風路１０中にその加湿通路６に処理空気が流通するように通風路１０を横断する形態に組付けられ、図１に示すような加湿装置が構成されている。この実施の形態１の加湿装置では、加湿器１はコンパクトな六面体に構成され、複数個の加湿器１がドレンパン１１上に直接列状に載置されて通風路１０中に組込まれている。ドレンパン１１は、図２に示すように加湿器１自体が軽量であることからプラスチックの一体成形物として浅底容器状に構成され、一側に外部に排水するための排水口１２を備えている。ドレンパン１１の底面中央には、加湿器１を直接上載するための保持構造１３が上げ底状に奥行き方向に形成されている。
【００２１】
保持構造１３は、ドレンパン１１に水が溜っても加湿器１が水に浸漬しない高さの上面の平坦な凸部として底部側に裾拡がりの台形や矩形に形成され、奥側の主体部分１４と手前側の分体部分１５とに分けられて形成されている。分体部分１５は排水口１２側にあり、主体部分１４との間に水の流通を許容する谷間１６が形成されている。この谷間１６により排水口１２の臨まない側の底面に溜った水も保持構造１３に妨害されることなく排水口１２に円滑に導くことができる。保持構造１３の上面両端には奥行き方向にガイドレール１７が一本ずつリブ状に一体成形されている。加湿器１はこのガイドレール１７間と本体箱体９の通風路１０の上側に装架された二本のガイドレール１８とにより保持され保持構造１３上に載置される。これにより、加湿器１は安定よく保持され取付けに伴う運搬時や輸送時に加湿器１が保持構造１３から外れるようなこともなくなる。加湿器１が複数個の場合には、本体箱体９の手前側に設けられた点検口１９から奥側になるものから順に押し込むようにして、保持構造１３のガイドレール１７間を移動させて設置する。保守点検や交換の際はこれとは逆に手前のものから順に移動させ点検口１９から取り出せばよい。
【００２２】
保持構造１３の高さは図１，２のようにドレンパン１１の周縁の周壁２０より低くても良いが、図３に示すように周壁２０より高くしてもよい。保持構造１３はドレンパン１１自体に対して補強構造となっているため、保持構造１３を高く構成する方がドレンパン１１の剛性を高くすることができ、しかも加湿器１の係脱時に周壁２０が邪魔にならず加湿器１の取扱いが容易になる。保持構造１３が周壁２０より低い場合には、保持構造１３の主体部分１４と分体部分１５との間の谷間１６は浅く、しかも周壁２０が立ちはだかることになるため、通風路１０を流れる処理空気が谷間１６から通り抜けることは少なく、問題はないが保持構造１３が周壁２０より高い場合には谷間１６も深くなり、周壁２０が妨害機能を果たさないので処理空気が谷間１６を通り抜けてしまう不都合が起きる。このような場合には図４に示すように谷間１６を跨ぐように仕切板状の通風防止構造２１を設けて谷間１６から処理空気が通り抜けることを防止すればよい。通風防止構造２１の底面側は開放されていて、水はこの開放部分２２から流通することができる。通風防止構造２１を設けることにより、保持構造１３を図５に示すように、独立連山式に列構成することが可能になる。このような構成を採ることにより、ドレンパン１１の平面積を変えずに水の保水量を増加させることができる。
【００２３】
上述のようにこの加湿装置では、ドレンパン１１がプラスチックであり、自体の補強を兼ねる保持構造１３上に直接加湿器１が設置されているので、大幅な軽量化が実現できるばかりでなく、加湿器１を支持する部品が削減でき構成の簡素化とコストの低減が可能である。また、プラスチックのドレンパン１１は板金製のものと異り加湿器１の脱着時に給水ホース７を損傷する恐れも少なくなる。
【００２４】
実施の形態２．
この実施の形態２の加湿装置は、前述の実施の形態１の加湿装置のドレンパン１１にその保水量を増加させる別の工夫を講じたものであり、これに係る構成の他は実施の形態１のものと同じである。従って、実施の形態１のものと同じ部分については実施の形態１のものと同じ符号を用いそれらについての説明は省略する。
【００２５】
この加湿装置のドレンパン１１は図６に示すように保持構造１３が、実施の形態１で示したものと同様に山脈状の突条として構成され、その側壁には入江状に底面が入込む凹部２３が数箇所に形成されている。凹部２３の幅は加湿器１が凹部２３を跨ぎ得るように加湿器１の横幅より小さい寸法になっている。これにより、ドレンパン１１の平面積を変えずに水の保水量を増加させることができる。これ以外の構成や機能並びに利点は実施の形態１のものと同じである。
【００２６】
実施の形態３．
この実施の形態３の加湿装置は、加湿器１のドレンパン１１の保持構造１３からの離脱を防止するガイドレール１７以外の手段を講じたものであり、これを除く他の構成は実施の形態１のものと同じである。従って、実施の形態１のものと同じ部分については実施の形態１のものと同じ符号を用いそれらについての説明は省略する。
【００２７】
この加湿装置のドレンパン１１は図７に示すように保持構造１３の上面中央に係合構造として奥行き方向にリブ状の突条２４が形成されている。また、加湿器１の底部構造５の中央には突条２４に摺動可能に嵌合する条溝２５が凹設されている。加湿器１は条溝２５に突条２４が嵌合した状態で保持構造１３の上面に保持される。これにより、加湿器１は安定よく保持され取付けに伴う運搬時や輸送時に加湿器１が保持構造１３から外れるようなことはなくなる。
【００２８】
また、図８や図９に示すような構成によっても加湿器１のドレンパン１１の保持構造１３からの離脱を防止することができる。即ち、保持構造１３の中央部に係合構造として奥行き方向に続く膨出部２６を形成し、加湿器１の底部構造５の中央には膨出部２６に摺動可能に嵌合する凹部２７を設け、凹凸嵌合状態で加湿器１を保持する。この構造によれば広い接触面積でしっかりと加湿器１を保持することができ、加湿器１の安定性が増す。同様に図９に示すように加湿器１の底部構造５の中央に凹部２７を設け、この凹部２７によって保持構造１３の上面全体を抱き込むようにしても、同様の効果が得られる。これ以外の構成や機能並びに利点は実施の形態１のものと同じである。
【００２９】
実施の形態４．
この実施の形態４の加湿装置は、加湿器１のドレンパン１１の保持構造１３に関するものであり、これを除く他の構成は実施の形態１のものと同じである。従って、実施の形態１のものと同じ部分については実施の形態１のものと同じ符号を用いそれらについての説明は省略する。
【００３０】
この加湿装置のドレンパン１１は図１０，１１に示すように保持構造１３の両端に形成したガイドレール１７について、保持構造１３の点検口１９側となる手前部分における片側のガイドレール１７を削除した構成となっている。ガイドレール１７により加湿器１は安定よく保持されるが、保持構造１３がドレンパン１１の周壁２０より低いと、周壁２０が邪魔になりガイドレール１７間に加湿器１を挿入したり、引き出したりすることが難しくなる。しかし、保持構造１３がドレンパン１１の周壁２０より低い方が装置の高さ寸法は小さくなる利点がある。ガイドレール１７の一部を上記したように無くすことにより、図１２に示すように当該部において加湿器１をガイドレール１７の無い側に横転させることができ、点検口１９を横長に構成することにより、横倒しの状態で加湿器１の出し入れが可能になり、加湿装置の小型化を推進できる。これ以外の構成や機能並びに利点は実施の形態１のものと同じである。
【００３１】
実施の形態５．
この実施の形態５の加湿装置は、ドレンパン１１を図１３に示すように加湿器１の上下に一つずつ設けたものであり、これを除く加湿装置の構成は実施の形態１のものと同じである。従って、実施の形態１のものと同じ部分については実施の形態１のものと同じ符号を用いそれらについての説明は省略する。
【００３２】
図１３，１４に示すこの実施の形態５の加湿装置は、熱交換換気装置の加湿部を構成している。熱交換換気装置は、外筐を構成する本体箱体２８内に室外の新鮮な空気を室内へ供給するための給気通路と、室内の空気を室外へ排気するための排気通路とが仕切壁等により全経路において独立状態に画成されている。排気通路には排気流を形成する排気用送風機２９が、また給気通路には給気流を形成する給気用送風機３０が組み込まれている。給気通路と排気通路のそれぞれの一部は内蔵された熱交換器３１の二系統の作動流体通路でそれぞれ構成され、排気流と給気流との間で連続的な熱交換が可能に構成されている。給気通路の給気用送風機３０の下流側には給気通路を横断する状態に複数の加湿器１が列状に組み込まれ、加湿部を構成している。給気通路の入口端は、本体箱体２８の一側に開設された給気吸込口で、ダクト接続可能の接続口として形成され、その出口端は、本体箱体２８の他側に開設された給気吹出口で、ダクト接続可能の接続口として形成されている。また、排気通路の入口端は、本体箱体２８の他側に開設された排気吸込口で、ダクト接続可能の接続口として形成され、その出口端は、本体箱体２８の一側に開設された排気吹出口で、ダクト接続可能の接続口として形成されている。
【００３３】
加湿部は、熱交換器３１と給気用送風機３０との間の給気通路の下部に設置されたドレンパン１１上に直接設置された複数の加湿器１の列により構成され、各加湿器１の天部構造４は伏せ状態のドレンパン１１に被冠されている。加湿部には加湿器１に加湿用の水を供給する給水系と、ドレンを処理する排水系とが備えられている。上下のドレンパン１１は、前述の各実施の形態で示したものを適用すればよい。この加湿装置は熱交換換気装置の天地を逆にして据付けても加湿装置は問題なく機能する構成である。個々の加湿器１は本体箱体２８の一側に設けられた点検口１９から脱着することができる。
【００３４】
この熱交換換気装置では、図１４に示すように片側にしか点検口１９に臨む点検スペースがとれないような設置場所であっても、天地を逆にして設置できるため容易に対応することが可能である。図１４に示すように例えば二機の熱交換換気装置を天井裏の空間に併設するような場合、二機の点検口１９を対向させることができ、天井面３２に設ける点検口３３は共用できるので一つ設けるだけでよい。従って、設置場所の制約も少なくなり、施工費も低減する。
【００３５】
【発明の効果】
以上の説明のとおり請求項１の発明によれば、自然蒸発式の加湿器による加湿装置の構成を簡素化と軽量化を推進することができる。
【００３６】
請求項２の発明によれば、自然蒸発式の加湿器による加湿装置の設置場所の制約を低減することができ、施工費も低減できる。
【００３７】
請求項３の発明によれば、請求項１又は請求項２のいずれかに係る前記効果とともに保持構造によりドレンパンの剛性を高めることができる。
【００３８】
請求項４の発明によれば、請求項１〜請求項３までのいずれかに係る前記効果とともに加湿器のドレンパンへの係脱操作が容易になる。
【００３９】
請求項５の発明によれば、請求項１〜請求項４までのいずれかに係る前記効果とともにドレンパンの平面積を大きくしないで保水量の増加を図ることができる。
【００４０】
請求項６の発明によれば、請求項１〜請求項４までのいずれかに係る前記効果とともにドレンパンの平面積を大きくしないで保水量の増加を図ることができる。
【００４１】
請求項７の発明によれば、請求項１〜請求項４までのいずれかに係る前記効果とともにドレンパンの排水機能が向上する。
【００４２】
請求項８の発明によれば、請求項１〜請求項７までのいずれかに係る前記効果とともに加湿器の安定性が向上する。
【００４３】
請求項９の発明によれば、請求項１〜請求項７までのいずれかに係る前記効果とともに加湿器の安定性が向上する。
【００４４】
請求項１０の発明によれば、請求項１〜請求項７までのいずれかに係る前記効果とともに加湿器の安定性が向上する。
【図面の簡単な説明】
【図１】実施の形態１の加湿装置を示す斜視図である。
【図２】実施の形態１の加湿装置のドレンパンを示す斜視図である。
【図３】実施の形態１の加湿装置のドレンパンを示す斜視図である。
【図４】実施の形態１の加湿装置のドレンパンを示す斜視図である。
【図５】実施の形態１の加湿装置のドレンパンを示す平面図である。
【図６】実施の形態２の加湿装置のドレンパンを示す斜視図である。
【図７】実施の形態３の加湿装置のドレンパンを示す斜視図である。
【図８】実施の形態３の加湿装置のドレンパンを示す斜視図である。
【図９】実施の形態３の加湿装置のドレンパンと加湿器の関係を示す側面図である。
【図１０】実施の形態４の加湿装置のドレンパンを示す斜視図である。
【図１１】実施の形態４の加湿装置のドレンパンを示す斜視図である。
【図１２】実施の形態４の加湿装置の加湿器の脱着操作を示す説明図である。
【図１３】実施の形態５の熱交換換気装置を示す斜視図である。
【図１４】実施の形態５の熱交換換気装置の設置例を示す説明図である。
【図１５】従来の加湿装置の構成を示す斜視図である。
【図１６】従来の加湿装置の分解斜視図である。
【符号の説明】
１  加湿器、  ６  加湿通路、  １０  通風路、  １１  ドレンパン、  １２排水口、  １３  保持構造、  １４  主体部分、  １５  分体部分、  １６  谷間、  １７  ガイドレール、  １９  点検口、  ２０  周壁、  ２１  通風防止構造、  ２３  凹部、  ２４  突条、  ２５  条溝、  ２６  膨出部、  ２７凹部。
【図１】
0003612933.tif 000002
【図２】
0003612933.tif 000003
【図３】
0003612933.tif 000004
【図４】
0003612933.tif 000005
【図５】
0003612933.tif 000006
【図６】
0003612933.tif 000007
【図７】
0003612933.tif 000008
【図８】
0003612933.tif 000009
【図９】
0003612933.tif 000010
【図１０】
0003612933.tif 000011
【図１１】
0003612933.tif 000012
【図１２】
0003612933.tif 000013
【図１３】
0003612933.tif 000014
【図１４】
0003612933.tif 000015
【図１５】
0003612933.tif 000016
【図１６】
0003612933.tif 000017